(57)【特許請求の範囲】
【請求項１】
電源スイッチに接続されており、前記電源スイッチがオンされた場合に複数の発光素子に電流を供給する直流電源回路と、
前記複数の発光素子のうち、前記電流が供給される発光素子を切り替えるためのスイッチング回路と、
前記直流電源回路から供給される前記電流を検出する検出回路と、
前記電源スイッチが一時的にオフされることで、前記検出回路で検出される前記電流が前記電源スイッチがオンの場合の値より低くなった場合に、前記スイッチング回路を制御することで、前記複数の発光素子のうち、前記電流が供給される発光素子を切り替える制御回路とを備える
照明装置。
【請求項２】
前記複数の発光素子は、複数の発光グループのいずれかに属し、
前記制御回路は、前記検出回路で検出された前記電流が前記電源スイッチがオンの場合の値より低くなった場合に、前記スイッチング回路を制御することで、前記複数の発光グループのうち、前記電流が供給される発光グループを切り替える
請求項１記載の照明装置。
【請求項３】
前記複数の発光グループに含まれる第１発光グループに含まれる発光素子は、他の発光グループに含まれる発光素子と発光色が異なる
請求項２記載の照明装置。
【請求項４】
前記複数の発光グループは、第１発光グループと、当該第１発光グループに含まれる発光素子の直列数より少ない直列数の発光素子を含む第２発光グループとを含み、
前記スイッチング回路は、前記第２発光グループと直列に接続されるスイッチング素子を含む
請求項２記載の照明装置。
【請求項５】
前記複数の発光グループは、互いに直列に接続された第１発光グループと第２発光グループとを含み、
前記スイッチング回路は、前記第２発光グループと並列に接続されるスイッチング素子を含む
請求項２記載の照明装置。
【請求項６】
前記検出回路は、前記発光素子に流れる電流を検出電圧に変換し、
前記制御回路は、
前記検出電圧と、予め定められた基準電圧とを比較する比較回路を備え、
前記検出電圧が前記基準電圧より低くなった場合に、前記スイッチング回路を制御することで、前記複数の発光素子のうち、前記電流が供給される発光素子を切り替える
請求項１〜５のいずれか１項に記載の照明装置。
【請求項７】
前記制御回路は、フリップフロップを用いた順序回路を有する
請求項１〜６のいずれか１項に記載の照明装置。
【請求項８】
前記照明装置は、さらに、
前記直流電源回路の出力端子に接続されており、前記発光素子に供給される前記電流を平滑化するためのコンデンサを備え、
前記制御回路は、前記電源スイッチがオフされた際に、前記コンデンサの残留電荷を用いて動作する
請求項１〜７のいずれか１項に記載の照明装置。
【請求項９】
請求項１〜８のいずれか１項に記載の照明装置と、
前記照明装置から電流が供給される前記複数の発光素子とを備える
照明器具。
【発明の詳細な説明】
【技術分野】
【０００１】
本発明は、照明装置及び照明器具に関し、特に、複数の発光素子に電流を供給する照明装置に関する。
【背景技術】
【０００２】
例えば、壁スイッチなどの電源スイッチを連続的にオンからオフ、オンと切り替えることで、発光させる発光素子を切り替える技術が知られている（例えば、特許文献１参照）。
【先行技術文献】
【特許文献】
【０００３】
【特許文献１】特許第５４２０１０６号公報
【発明の概要】
【発明が解決しようとする課題】
【０００４】
特許文献１の技術では、直流電源回路の前段の電圧を検出することにより、電源スイッチのオン及びオフが検出される。この場合、直流電源回路の変更が必要になり、汎用の直流電源回路を用いることができないという課題がある。具体的には、上記電圧を検出するための検出回路が追加で必要となる。また、専用ＩＣ又はマイクロコンピュータが必要となる。また、このように直流電源回路の変更が必要になることで開発工数が増加するという課題もある。
【０００５】
そこで、本発明は、直流電源回路に変更を行うことなく、電源スイッチの連続切り替えを検出できる照明装置又は照明器具を提供することを目的とする。
【課題を解決するための手段】
【０００６】
本発明の一態様に係る照明装置は、電源スイッチに接続されており、前記電源スイッチがオンされた場合に複数の発光素子に電流を供給する直流電源回路と、前記複数の発光素子のうち、前記電流が供給される発光素子を切り替えるためのスイッチング回路と、前記直流電源回路から供給される前記電流を検出する検出回路と、前記電源スイッチが一時的にオフされることで、前記検出回路で検出される前記電流が前記電源スイッチがオンの場合の値より低くなった場合に、前記スイッチング回路を制御することで、前記複数の発光素子のうち、前記電流が供給される発光素子を切り替える制御回路とを備える。
【発明の効果】
【０００７】
本発明は、直流電源回路に変更を行うことなく、電源スイッチの連続切り替えを検出できる照明装置又は照明器具を提供できる。
【図面の簡単な説明】
【０００８】
【図１】図１は、実施の形態に係る照明器具の構成例を示す図である。
【図２】図２は、実施の形態に係る照明器具の動作を示すタイミングチャートである。
【図３】図３は、実施の形態に係る直流電源回路の構成例を示す図である。
【図４】図４は、実施の形態に係る直流電源回路の別の構成例を示す図である。
【図５】図５は、実施の形態の変形例１に係る照明器具の構成例を示す図である。
【図６】図６は、実施の形態の変形例２に係る照明器具の構成例を示す図である。
【図７】図７は、実施の形態の変形例３に係る照明器具の構成例を示す図である。
【図８】図８は、実施の形態の変形例３に係る照明器具の動作を示すタイミングチャートである。
【図９】図９は、実施の形態の変形例４に係る照明器具の構成例を示す図である。
【図１０】図１０は、実施の形態の変形例４に係る照明器具の動作を示すタイミングチャートである。
【図１１】図１１は、実施の形態の変形例５に係る照明器具の構成例を示す図である。
【図１２】図１２は、実施の形態の変形例６に係るリセット回路の構成例を示す図である。
【図１３】図１３は、実施の形態の変形例６に係るリセット回路の動作を示す図である。
【図１４】図１４は、実施の形態に係る照明器具の外観を示す模式図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態）
［照明器具の構成］
まず、本実施の形態に係る照明器具１００の構成を説明する。図１は、本実施の形態に係る照明器具１００の構成示す図である。図１に示すように、照明器具１００は、照明装置１０１と、複数の発光素子１０２とを備える。
【００１２】
照明装置１０１は、商用電源１０３からの電力を用いて複数の発光素子１０２を点灯する。また、照明装置１０１と商用電源１０３の間には、壁スイッチ等の電源スイッチ１０４が接続されている。つまり、電源スイッチ１０４のオン及びオフに基づき、商用電源１０３から照明装置１０１への電力供給のオン及びオフが切り替えられることで、発光素子１０２への電力供給のオン及びオフが切り替えられる。
【００１３】
この照明装置１０１は、直流電源回路１１１と、スイッチング回路１１２と、検出回路１１３と、制御回路１１４と、制御電源回路１１５と、コンデンサＣ１とを含む。
【００１４】
直流電源回路１１１は、商用電源１０３から供給される交流電力を直流電力に変換し、得られた直流電力を用いて、一定電流を生成する回路であり、例えば、ＡＣ／ＤＣコンバータ及びＤＣ／ＤＣコンバータを含む。また、直流電源回路１１１で生成された一定電流は、複数の発光素子１０２に供給される。
【００１５】
コンデンサＣ１は、直流電源回路１１１の出力端子に接続されており、直流電源回路１１１により生成された一定電流を平滑化するために用いられる容量素子である。なお、図１では、コンデンサＣ１は、直流電源回路１１１の外に設けられているが、直流電源回路１１１に含まれてもよい。
【００１６】
発光素子１０２は、固体発光素子であり、例えば、ＬＥＤ（Ｌｉｇｈｔ  Ｅｍｉｔｔｉｎｇ  Ｄｉｏｄｅ）である。また、複数の発光素子１０２は、発光グループＬＥＤ１及びＬＥＤ２のいずれかに属する。例えば、発光グループＬＥＤ１に属する発光素子１０２と、発光グループＬＥＤ２に属する発光素子１０２とは発光色（色温度）が異なる。また、各発光グループに属する複数の発光素子１０２は直列に接続される。
【００１７】
スイッチング回路１１２は、発光グループＬＥＤ１及びＬＥＤ２のうち、電流が供給される発光グループを切り替える。つまり、スイッチング回路１１２は、複数の発光素子１０２のうち、電流が供給される発光素子１０２を切り替える。このスイッチング回路１１２は、スイッチング素子Ｑ１及びＱ２と、抵抗Ｒ１〜Ｒ４とを含む。
【００１８】
スイッチング素子Ｑ１及びＱ２は、発光グループＬＥＤ１及びＬＥＤ２のうち、電流が供給される発光グループを切り替えるためのスイッチング素子であり、例えばＭＯＳＦＥＴである。スイッチング素子Ｑ１は、発光グループＬＥＤ１と直列に接続され、スイッチング素子Ｑ２は、発光グループＬＥＤ２と直列に接続される。なお、抵抗Ｒ１及びＲ２は、瞬時的な高電流を抑制するための抵抗であり、抵抗Ｒ３及びＲ４は、浮遊容量対策としてスイッチング素子Ｑ１及びＱ２のゲート電圧をＧＮＤレベルに固定するための抵抗である。
【００１９】
検出回路１１３は、直流電源回路１１１から供給される電流Ｉ０を検出するための検出回路である。言い換えると、検出回路１１３は、複数の発光素子１０２に流れる電流Ｉ０を検出する。この検出回路１１３は、抵抗Ｒ５及びＲ６と、コンデンサＣ２とを備える。検出回路１１３は、発光素子１０２に流れる電流に相当する抵抗Ｒ５に流れる検出電流Ｉ０を検出電圧Ｖ１に変換する。なお、抵抗Ｒ６及びコンデンサＣ２は、ローパスフィルタとして機能し、短い時間の瞬時的な停電や外来ノイズに対して予期せぬ切替動作が生じることを防ぐ。
【００２０】
制御回路１１４は、電源スイッチ１０４が一時的にオフされることで、検出回路１１３で検出される電流Ｉ０が電源スイッチ１０４がオンの場合の値（例えば予め定められた基準値）より低くなった場合に、スイッチング回路１１２を制御することで、複数の発光素子１０２のうち、電流が供給される発光素子１０２を切り替える。具体的には、制御回路１１４は、複数の発光グループＬＥＤ１及びＬＥＤ２のうち、電流が供給される発光グループを切り替える。この制御回路１１４は、比較回路１１６と、順序回路１１７とを含む。
【００２１】
比較回路１１６は、検出電圧Ｖ１と、予め定められた基準電圧Ｖｒｅｆとを比較し、比較結果を示す比較結果信号Ｓ１を出力する。例えば、比較回路１１６は、定常時（検出電流Ｉ０が基準値より高い場合）には、ローレベルの信号Ｓ１を出力し、検出電流Ｉ０が基準値より低い場合には、ハイレベルの信号Ｓ１を出力する。この比較回路１１６は、比較器ＣＯＭ１を含む。比較器ＣＯＭ１は、検出電圧Ｖ１と基準電圧Ｖｒｅｆとを比較し、比較結果を示す信号Ｓ１を出力する。なお、抵抗Ｒ７により比較回路１１６のヒステリシス特性が実現される。
【００２２】
順序回路１１７は、比較結果信号Ｓ１の変化に基づき、出力信号Ｓ２及びＳ３の論理値を反転する。この順序回路１１７は、フリップフロップＦＦ１を備える。具体的には、順序回路１１７は、比較結果信号Ｓ１の立ち上がりエッジで出力信号Ｓ２及びＳ３の論理値を反転する。なお、出力信号Ｓ２は、出力信号Ｓ３の反転信号である。この出力信号Ｓ２はスイッチング素子Ｑ１のゲート端子に供給され、出力信号Ｓ３は、スイッチング素子Ｑ２のゲート端子に供給される。
【００２３】
制御電源回路１１５は、電圧Ｖ０から、スイッチング回路１１２、検出回路１１３及び制御回路１１４の電源電圧として用いられる電源電圧ＶＣＣを生成するとともに、基準電圧Ｖｒｅｆを生成する。この制御電源回路１１５は、ダイオードＤ１と、ツェナーダイオードＺＤ１と、抵抗Ｒ８〜Ｒ１０と、コンデンサＣ３及びＣ４とを備える。制御電源回路１１５は、ツェナーダイオードＺＤ１の降伏電圧に相当する電圧を電源電圧ＶＣＣとして出力する。また、抵抗Ｒ８と抵抗Ｒ９とで電源電圧ＶＣＣが分圧されることにより基準電圧Ｖｒｅｆが生成される。
【００２４】
［照明器具の動作］
以下、本実施の形態に係る照明器具１００の動作を説明する。本実施の形態に係る照明器具１００では、ユーザが電源スイッチ１０４を、オン状態から、オフ、オンと短時間で切り替えることで、点灯する発光グループが切り替わる。つまり、ユーザは、電源スイッチ１０４の２回の操作により照明器具１００の発光色を切り替えることができる。
【００２５】
図２は、照明器具１００の動作を示すタイミングチャートである。この例では、時刻ｔ１より前の状態において、信号Ｓ２がハイレベルであり、信号Ｓ３がローレベルである。これにより、発光グループＬＥＤ１が点灯しており、発光グループＬＥＤ２が消灯している。この状態において、電源スイッチ１０４が時刻ｔ１においてオフされ、その後時刻ｔ３でオンされる。
【００２６】
時刻ｔ１において電源スイッチ１０４がオフされると、それに伴い、直流電源回路１１１の出力が停止し、コンデンサＣ１の電圧Ｖ０が徐々に減少する。この出力電圧Ｖ０の減少に伴い、発光素子１０２に流れる電流Ｉ０も減少し、これにより検出電圧Ｖ１が減少する。なお、この段階では、出力電圧Ｖ０の減少が軽微であるので電源電圧ＶＣＣは減少しない。よって、制御回路１１４は、通常通り動作する。つまり、制御回路１１４は、電源スイッチ１０４がオフされた際に、コンデンサＣ１及びＣ３の残留電荷を用いて動作する。
【００２７】
時刻ｔ２において検出電圧Ｖ１が基準電圧Ｖｒｅｆより低くなると、信号Ｓ１がローレベルからハイレベルに変化する。これにより、信号Ｓ２がハイレベルからローレベルに、信号Ｓ３がローレベルからハイレベルにそれぞれ変化することで、電流が供給される発光グループが発光グループＬＥＤ１からＬＥＤ２に切り替えられる。
【００２８】
また、時刻ｔ３において電源スイッチ１０４がオンされると、それに伴い、直流電源回路１１１が定電流出力を開始し、電圧Ｖ０が上昇する。これにより発光素子１０２に流れる電流Ｉ０も増加し、検出電圧Ｖ１も増加する。
【００２９】
時刻ｔ４において検出電圧Ｖ１が基準電圧Ｖｒｅｆより高くなると、信号Ｓ１がハイレベルからローレベルに変化するが、フリップフロップＦＦ１は状態を保持し、出力信号Ｓ２及びＳ３は変化しない。
【００３０】
このように、ユーザが電源スイッチ１０４を、オン状態から、オフ、オンと短時間で切り替えることで、点灯する発光グループが切り替わる。
【００３１】
時刻ｔ５〜ｔ６においても同様の動作が行われ、電流が供給される発光グループが発光グループＬＥＤ２からＬＥＤ１に切り替えられる。また、時刻ｔ７〜ｔ８の動作により、電流が供給される発光グループが発光グループＬＥＤ１からＬＥＤ２に切り替えられる。
【００３２】
次に、時刻ｔ９において電源スイッチ１０４がオフされる。この場合、電源スイッチ１０４がオフされているオフ期間が十分に長いため、電圧Ｖ０の低下に伴い、電源電圧ＶＣＣも低下し、制御回路１１４も非動作状態となる。よって、時刻ｔ１０において電源スイッチ１０４がオンされた際には、制御回路１１４がリセットされる。これにより、予め定められた発光グループ（この例では発光グループＬＥＤ１）が点灯する。
【００３３】
このように、電源スイッチ１０４のオフ期間が十分に長い場合には、制御回路１１４がリセットされ、予め定められた発光グループが選択される。これにより、一つの電源スイッチ１０４に対して複数の照明器具１００が接続されている場合において、複数の照明器具１００において選択される発光グループが異なってしまった場合、ユーザは電源スイッチ１０４を一定時間以上オフすることで、複数の照明器具１００において選択される発光グループをそろえることができる。
【００３４】
［直流電源回路１１１の構成例］
図３及び図４は、直流電源回路１１１の構成例を示す図である。例えば、図３に示すように、直流電源回路１１１として降圧コンバータを用いることができる。または、図４に示すように、直流電源回路１１１としてフライバックコンバータを用いることができる。
【００３５】
なお、直流電源回路１１１として、昇降圧コンバータ又は昇圧コンバータを用いてもよい。さらに、直流電源回路１１１として、これらを複数組み合わせた回路が用いられてもよいし、これらの回路に定電流回路を組み合わせた回路が用いられてもよい。
【００３６】
［変形例１］
図５は、本実施の形態の変形例１に係る照明器具１００Ａの構成例を示す図である。図５に示す照明器具１００Ａでは、発光グループＬＥＤ１に含まれる発光素子１０２の直列数（直列接続されている発光素子１０２の数）が、発光グループＬＥＤ２に含まれる発光素子１０２の直列数より多い。また、スイッチング回路１１２Ａは、発光グループＬＥＤ２と直列に接続されるスイッチング素子Ｑ２のみを含む。つまり、発光グループＬＥＤ１には、スイッチング素子が直列接続されない。
【００３７】
この場合、スイッチング素子Ｑ２がオンする期間では、発光グループＬＥＤ１及びＬＥＤ２のうち、直列数が少ない、つまり順方向電圧が小さい発光グループＬＥＤ２にのみ電流が流れる。一方、スイッチング素子Ｑ２がオフする期間では、発光グループＬＥＤ１にのみ電流が流れる。
【００３８】
ここで、発光グループＬＥＤ１及びＬＥＤ２は発光素子１０２の数が異なるため発光光束（明るさ）が異なる。よって、発光グループＬＥＤ１及びＬＥＤ２の発光色を同じにすることで、段階調光を実現できる。また、発光グループＬＥＤ１及びＬＥＤ２の発光色を異ならせることで、光色切り替え、かつ段階調光を実現できる。
【００３９】
この構成により、図１に示す構成に対してスイッチング素子の数を減らすことができるので低コスト化を実現できる。
【００４０】
［変形例２］
図６は、本実施の形態の変形例２に係る照明器具１００Ｂの構成例を示す図である。図６に示す照明器具１００Ｂでは、発光グループＬＥＤ１と発光グループＬＥＤ２とは直列に接続される。また、スイッチング回路１１２Ｂは、発光グループＬＥＤ２と並列に接続されるスイッチング素子Ｑ２のみを含む。
【００４１】
この場合、スイッチング素子Ｑ２がオフする期間では、発光グループＬＥＤ１及びＬＥＤ２の両方に電流が流れる。一方、スイッチング素子Ｑ２がオンする期間では、発光グループＬＥＤ１にのみ電流が流れる。
【００４２】
よって、発光グループＬＥＤ１及びＬＥＤ２の発光色を同じにすることで、段階調光を実現できる。
【００４３】
［変形例３］
本変形例では、３つの発光グループを切り替える例を説明する。図７は、本実施の形態の変形例３に係る照明器具１００Ｃの構成例を示す図である。図７に示す照明器具１００Ｃは、発光グループＬＥＤ１、ＬＥＤ２及びＬＥＤ３を備える。例えば、発光グループＬＥＤ１、ＬＥＤ２及びＬＥＤ３は、互いに発光色が異なる。
【００４４】
また、スイッチング回路１１２Ｃは、発光グループＬＥＤ１と直列に接続されるスイッチング素子Ｑ１と、発光グループＬＥＤ２と直列に接続されるスイッチング素子Ｑ２と、発光グループＬＥＤ３と直列に接続されるスイッチング素子Ｑ３とを含む。
【００４５】
また、制御回路１１４Ｃに含まれる順序回路１１７Ｃは、図８に示すように、スイッチング素子Ｑ１〜Ｑ３のうち一つのみをオンする信号Ｓ２、Ｓ３及びＳ４を生成する。具体的には、図８に示すように、信号Ｓ１の立ち上がりエッジ毎に、オンされるスイッチング素子が切り替えられる。これにより、３通りの光色切り替えを実現できる。
【００４６】
なお、ここでは、一つの発光グループのみが選択される例を示すが、２又は３つの発光グループが同時に選択されてもよい。つまり、最大で８通りの光色切り替え及び段階調光の組み合わせを実現できる。
【００４７】
また、ここでは、３つの発光グループを切り替える例を述べたが、４つ以上の発光グループが切り替えられてもよい。
【００４８】
［変形例４］
図９は、本実施の形態の変形例４に係る照明器具１００Ｄの構成例を示す図である。図９に示す照明器具１００Ｄは、発光グループＬＥＤ１及びＬＥＤ２を備える。例えば、発光グループＬＥＤ１及びＬＥＤ２は、互いに発光色が異なる。
【００４９】
また、スイッチング回路１１２Ｄは、発光グループＬＥＤ１と直列に接続されるスイッチング素子Ｑ１と、発光グループＬＥＤ２と直列に接続されるスイッチング素子Ｑ２とを含む。
【００５０】
また、制御回路１１４Ｄに含まれる順序回路１１７Ｄは、図１０に示すように、スイッチング素子Ｑ１及びＱ２のうち、（１）スイッチング素子Ｑ１のみをオン、（２）スイッチング素子Ｑ２のみをオン、又は（３）スイッチング素子Ｑ１及びＱ２を両方オンする信号Ｓ２及びＳ３を生成する。具体的には、図１０に示すように、信号Ｓ１の立ち上がりエッジ毎に、オンされるスイッチング素子が切り替えられる。これにより、３通りの光色切り替えを実現できる。例えば、発光グループＬＥＤ１及びＬＥＤ２の発光色が２７００Ｋ及び５０００Ｋである場合、（１）２７００Ｋ、（２）５０００Ｋ、（３）３８５０Ｋの３通りの光色切り替えを実現できる。
【００５１】
なお、ここでは、２つの発光グループを切り替える例を述べたが、３つ以上の発光グループが同様に切り替えられてもよい。
【００５２】
［変形例５］
図１１は、本実施の形態の変形例５に係る照明器具１００Ｅの構成例を示す図である。図１１に示す照明器具１００Ｅは、発光グループＬＥＤ０、ＬＥＤ１及びＬＥＤ２を備える。例えば、発光グループＬＥＤ０、ＬＥＤ１及びＬＥＤ２は、互いに発光色が異なる。
【００５３】
また、スイッチング素子Ｑ１は発光グループＬＥＤ０及びＬＥＤ１と直列に接続され、スイッチング素子Ｑ２は、発光グループＬＥＤ０及びＬＥＤ２と直列に接続される。制御回路１１４は、スイッチング素子Ｑ１及びＱ２の一方のみをオンする。
【００５４】
スイッチング素子Ｑ１がオンする期間では、発光グループＬＥＤ０及びＬＥＤ１が発光し、発光グループＬＥＤ０及びＬＥＤ１の第１中間色が実現される。また、スイッチング素子Ｑ２がオンする期間では、発光グループＬＥＤ０及びＬＥＤ２が発光し、発光グループＬＥＤ０及びＬＥＤ２の第２中間色が実現される。例えば、発光グループＬＥＤ０、ＬＥＤ１及びＬＥＤ２の発光色が４０００Ｋ、２０００Ｋ及び６０００Ｋである場合、第１中間色は３０００Ｋであり、第２中間色は５０００Ｋである。
【００５５】
この構成により、図１に示す構成よりも発光素子１０２の総数を減らすことができるので低コスト化を実現できる。
【００５６】
［変形例６］
上記照明器具のいずれかは、順序回路を確実にリセットするためのパワーオンリセット回路（またはパワーオンプリセット回路）を備えてもよい。図１２は、本実施の形態の変形例６に係る順序回路１１７Ｆ及びリセット回路１１８の構成例を示す図である。
【００５７】
リセット回路１１８は、順序回路１１７ＦのＶＣＣ端子とＣＬＲバー端子との間に接続された抵抗Ｒ及びダイオードＤと、ＣＬＲバー端子に接続されたコンデンサＣとを含む。
【００５８】
図１３は、リセット回路１１８の動作を示す図である。抵抗Ｒ及びコンデンサＣの影響により、図１３に示すように、ＣＬＲバー端子の電圧ＶＣＬＲは、ＶＣＣ端子の電圧ＶＣＣより遅れて立ち上がる。これにより、電源の立ち上がり時には、ＣＬＲバー端子がローレベルと判定されることで、順序回路１１７Ｆはリセットされる。
【００５９】
［照明器具の一例］
図１４は、上記実施の形態で説明した照明器具１００等の外観図である。図１４は、照明器具１００をダウンライトに適用した例を示す。この照明器具１００は、回路ボックス１１、灯体１２及び配線１３を備える。
【００６０】
回路ボックス１１には、上記の照明装置１０１が格納され、灯体１２には、ＬＥＤ（発光素子１０２）が装着される。また、配線１３は、回路ボックス１１と灯体１２とを電気的に接続する配線である。
【００６１】
なお、照明器具１００は、スポットライト等の他の照明器具に適用してもよい。
【００６２】
［その他の変形例］
直流電源回路１１１は、調光動作を行ってもよい。つまり、直流電源回路１１１は、複数種類の定電流値のうちいずれかを選択的に出力してもよい。
【００６３】
各発光グループには１以上の発光素子１０２が含まれればよい。また、発光グループに複数の発光素子１０２が含まれる場合には、これは直列に接続されてもよいし、並列に接続されてもよいし、直列及び並列が組み合わされてもよい。
【００６４】
異なる発光グループが選択された場合に配光が異なってもよい。
【００６５】
検出回路１１３の構成は上記のように抵抗Ｒ５を用いた構成に限らない。例えば、調光動作を行う直流電源回路１１１を用いる場合には、小さい電流を検出するために抵抗Ｒ５の抵抗値を大きくする必要がある。例えば、検出回路１１３は、さらに、抵抗Ｒ５に並列接続されるダイオードを備えてもよい。これにより、小さい電流を検出可能となり、かつ、大きい電流が流れた場合の損失を低減できる。
【００６６】
上記では、直流電源回路１１１の出力電流を検出する構成を説明したが、直流電源回路１１１の出力電圧を検出してもよい。なお、上記のように電流を検出することで電圧を検出する場合に比べてその変化を高精度で検出できる。
【００６７】
制御回路１１４及び検出回路１１３は、マイコン、ＦＰＧＡ（Ｆｉｅｌｄ  Ｐｒｏｇｒａｍｍａｂｌｅ  Ｇａｔｅ  Ａｒｒａｙ）、又はＰＬＤ（Ｐｒｏｇｒａｍｍａｂｌｅ  Ｌｏｇｉｃ  Ｄｅｖｉｃｅ）等により構成されてもよい。
【００６８】
スイッチング素子はＭＯＳＦＥＴに限らない。例えば、スイッチング素子はバイポーラトランジスタ、ＩＧＢＴ（Ｉｎｓｕｌａｔｅｄ  Ｇａｔｅ  Ｂｉｐｏｌａｒ  Ｔｒａｎｓｉｓｔｏｒ）又はリレーなどであってもよい。
【００６９】
また、上記実施の形態に係る照明器具又は照明装置に含まれる処理部の少なくとも一部は典型的には集積回路であるＬＳＩとして実現される。これらは個別に１チップ化されてもよいし、一部又は全てを含むように１チップ化されてもよい。
【００７０】
また、回路図等における回路ブロックの分割は一例であり、複数の回路ブロックを一つの回路ブロックとして実現したり、一つの回路ブロックを複数に分割したり、一部の機能を他の回路ブロックに移してもよい。例えば、図１等において抵抗Ｒ８及びＲ９は、比較回路１１６に含まれてもよい。
【００７１】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【００７２】
また、ハイ／ローにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。さらに、上で示した論理回路の構成は本発明を具体的に説明するために例示するものであり、異なる構成の論理回路により同等の入出力関係を実現することも可能である。
【００７３】
以上、一つまたは複数の態様に係る照明装置及び照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７４】
１００  照明器具
１０１  照明装置
１０２  発光素子
１０４  電源スイッチ
１１１  直流電源回路
１１２  スイッチング回路
１１３  検出回路
１１４  制御回路
１１６  比較回路
１１７  順序回路
Ｃ１  コンデンサ
ＬＥＤ１、ＬＥＤ２  発光グループ
Ｑ１、Ｑ２  スイッチング素子
Ｖ１  検出電圧
Ｖｒｅｆ  基準電圧
【図１】
0006722855.tif 000002
【図２】
0006722855.tif 000003
【図３】
0006722855.tif 000004
【図４】
0006722855.tif 000005
【図５】
0006722855.tif 000006
【図６】
0006722855.tif 000007
【図７】
0006722855.tif 000008
【図８】
0006722855.tif 000009
【図９】
0006722855.tif 000010
【図１０】
0006722855.tif 000011
【図１１】
0006722855.tif 000012
【図１２】
0006722855.tif 000013
【図１３】
0006722855.tif 000014
【図１４】
0006722855.tif 000015